(57)【要約】 【課題】  利用者に対する操作性および利便性を向上することができる携帯形電子装置を提供する。【解決手段】  利用者によって、スイッチ部１３の第１接点がオン状態になるように操作されて、撮像対象を撮像して生成される画像データを表す画像を拡大して表示部１９に表示する指令が入力されると、前記指令に基づいて撮像対象の画像を表示部１９に拡大表示するように、カメラ部１７、画像処理部１５および表示部１９が協働して、拡大表示機能制御部１４、カメラ制御部１６、表示制御部１８および主制御部２７によって制御される。したがって利用者は、従来の技術に比べて簡単な操作、具体的にはスイッチ部１３の第１接点がオン状態になるように押圧する操作をするだけで、撮像対象を撮像して生成される画像データを表す画像を、容易に表示部１９に拡大表示することができる。【選択図】      図１
2006174264.tif 000002
【特許請求の範囲】
【請求項１】
撮像対象を撮像して画像データを生成する撮像手段と、
前記画像データを表す画像を表示可能な表示手段と、
前記画像データを表す画像を拡大して表示手段に表示する指令を入力する拡大表示入力手段と、
拡大表示入力手段によって入力される指令に基づいて、前記画像データを表す画像を表示手段に拡大表示するように、撮像手段および表示手段を協働して制御する制御手段とを含むことを特徴とする携帯形電子装置。
【請求項２】
前記表示手段に拡大表示される画像の中から文字情報を表す画像を読取り、この文字情報を表す画像をさらに拡大して表示手段に表示する指令を入力する文字情報表示入力手段と、
前記表示手段に拡大表示される画像の中から文字情報を表す画像を読取る文字情報読取手段とをさらに含み、
前記制御手段は、文字情報表示入力手段によって入力される指令に基づいて、前記表示手段に拡大表示される画像の中から文字情報を表す画像を読取り、この文字情報を表す画像をさらに表示手段に拡大表示するように、撮像手段、文字情報読取手段および表示手段を協働して制御可能に構成されることを特徴とする請求項１記載の携帯形電子装置。
【請求項３】
前記表示手段に拡大表示される画像の一部の文字情報を表す画像を指定する指定手段をさらに含み、
前記制御手段は、指定手段によって指定される前記文字情報を表す画像をさらに表示手段に拡大表示する機能を有することを特徴とする請求項２記載の携帯形電子装置。
【請求項４】
撮像対象を照明する照明手段と、
前記画像データを表す画像の濃度値を検出する検出手段とをさらに含み、
前記制御手段は、検出手段によって検出される濃度値に基づいて撮像対象を照明するように照明手段を制御可能に構成されることを特徴とする請求項１〜３のいずれか１つに記載の携帯形電子装置。
【請求項５】
他の通信装置と通信可能な通信手段をさらに含むことを特徴とする請求項１〜４のいずれか１つに記載の携帯形電子装置。
【発明の詳細な説明】
【技術分野】
【０００１】
本発明は、いわゆるカメラ付携帯電話機のように、画像を撮像する撮像手段を備える携帯形電子装置に関する。
【背景技術】
【０００２】
携帯電話機の中には、単に通話だけではなく、撮像レンズ、および入力光を電気信号に変換する撮像素子を備えるカメラが搭載されたいわゆるカメラ付携帯電話機がある。このカメラ付携帯電話機では、記憶容量、画像の表示サイズ、カメラの解像度および処理能力などが一段と向上されている。
【０００３】
カメラ付携帯電話機では、搭載されたカメラによって風景、人物および記録紙に記録された文字などを撮像して得られる画像を画像データとして記憶して、必要に応じて記憶した画像データが表す画像を表示部に表示させる。またカメラ付携帯電話機では、撮像時に表示部がファインダとして機能し、カメラによって撮像された画像が表示部に表示される。このように、携帯電話機にカメラが搭載されたカメラ付携帯電話機に関する従来の技術が特許文献１に記載されている。
【０００４】
特許文献１に記載のデジタルカメラ付携帯電話機は、携帯電話機に電源が投入され、撮影レンズが新聞および地図などの被写体と対面する状態で、利用者によってモード選択ボタンが押下され、接写モードが選択されて決定ボタンが押下されると、撮影レンズの位置が被写体を接写可能な位置に切換わり、近接した被写体に焦点が合うように構成される。また利用者によって拡大ボタンが押下されると、被写体を表す画像が拡大されて表示部に表示される。
【０００５】
【特許文献１】特開２００２−３７４４５０号公報
【発明の開示】
【発明が解決しようとする課題】
【０００６】
特許文献１に記載のカメラ付携帯電話機では、たとえば被写体を表す画像を拡大して表示部に表示させる場合、利用者は接写モードへの切換え操作およびカメラのズームを設定するための操作などの煩雑な設定操作をしなければならないので、利用者に対する操作性および利便性が低いという問題がある。
【０００７】
本発明の目的は、利用者に対する操作性および利便性を向上することができる携帯形電子装置を提供することである。
【課題を解決するための手段】
【０００８】
本発明は、撮像対象を撮像して画像データを生成する撮像手段と、
前記画像データを表す画像を表示可能な表示手段と、
前記画像データを表す画像を拡大して表示手段に表示する指令を入力する拡大表示入力手段と、
拡大表示入力手段によって入力される指令に基づいて、前記画像データを表す画像を表示手段に拡大表示するように、撮像手段および表示手段を協働して制御する制御手段とを含むことを特徴とする携帯形電子装置である。
【０００９】
本発明に従えば、利用者によって、拡大表示入力手段に、撮像対象の画像を拡大して表示手段に表示する指令が入力されると、前記指令に基づいて前記撮像対象の画像を表示手段に拡大表示するように、撮像手段および表示手段が協働して、制御手段によって制御される。したがって利用者は、前記画像データを表す画像を表示手段に拡大表示させる場合に、前記従来の技術のように煩雑な入力操作をする必要がない。換言すると利用者は、従来の技術に比べて簡単な操作をするだけで、撮像対象を撮像して生成される画像データを表す画像を拡大して表示手段に表示する指令を入力することができる。したがって前記画像データを表す画像を、容易に表示手段に拡大表示させることができる。これによって利用者に対する操作性を向上することができる。
【００１０】
また本発明は、前記表示手段に拡大表示される画像の中から文字情報を表す画像を読取り、この文字情報を表す画像をさらに拡大して表示手段に表示する指令を入力する文字情報表示入力手段と、
前記表示手段に拡大表示される画像の中から文字情報を表す画像を読取る文字情報読取手段とをさらに含み、
前記制御手段は、文字情報表示入力手段によって入力される指令に基づいて、前記表示手段に拡大表示される画像の中から文字情報を表す画像を読取り、この文字情報を表す画像をさらに表示手段に拡大表示するように、撮像手段、文字情報読取手段および表示手段を協働して制御可能に構成されることを特徴とする。
【００１１】
本発明に従えば、利用者によって、文字情報表示入力手段に、表示手段に拡大表示される画像の中から文字情報を表す画像を読取り、この文字情報を表す画像をさらに拡大して表示手段に表示する指令が入力されると、前記指令に基づいて前記表示手段に拡大表示される画像の中から文字情報を表す画像を読取り、この文字情報を表す画像をさらに表示手段に拡大表示するように、撮像手段、文字情報読取手段および表示手段が協働して、制御手段によって制御される。したがって利用者は、表示手段に拡大表示される画像の中から文字情報を表す画像を読取り、この文字情報を表す画像をさらに表示手段に拡大表示させる場合に、前記従来の技術のように煩雑な入力操作をする必要がない。換言すると利用者は、表示手段に拡大表示される画像の中から文字情報を表す画像を読取り、この文字情報を表す画像をさらに表示手段に拡大表示する指令を入力する操作をするだけで、容易に前記文字情報を表す画像をさらに表示手段に拡大表示させることができる。これによって利用者に対する操作性を向上することができる。
【００１２】
また表示手段に拡大表示される画像、たとえば文字画像が、その画像の寸法が小さいために利用者が認識し難い場合であっても、複数の入力操作をすることなく、前記文字情報を表す画像をさらに表示手段に拡大表示させることができるので、利用者は表示手段に拡大表示される画像を見ることによって確実かつ迅速に前記文字情報を表す画像を認識することができる。これによって利用者に対する利便性を向上することができる。
【００１３】
また本発明は、前記表示手段に拡大表示される画像の一部の文字情報を表す画像を指定する指定手段をさらに含み、
前記制御手段は、指定手段によって指定される前記文字情報を表す画像をさらに表示手段に拡大表示する機能を有することを特徴とする。
【００１４】
また本発明に従えば、利用者は、指定手段によって、前記表示手段に拡大表示される画像の一部の文字情報を表す画像を指定することができる。指定手段によって、前記表示手段に拡大表示される画像の一部の文字情報を表す画像が指定されると、指定手段によって指定される前記文字情報を表す画像がさらに表示手段に拡大表示される。したがって表示手段に拡大表示される画像のうち、たとえば利用者が認識し難い文字情報を表す画像を指定することによって、その指定された文字情報を表す画像をさらに表示手段に拡大表示させることができるので、利用者は表示手段に拡大表示される前記文字情報を表す画像を確実に認識することができる。これによって利用者に対する利便性を向上することができる。
【００１５】
また本発明は、撮像対象を照明する照明手段と、
前記画像データを表す画像の濃度値を検出する検出手段とをさらに含み、
前記制御手段は、検出手段によって検出される濃度値に基づいて撮像対象を照明するように照明手段を制御可能に構成されることを特徴とする。
【００１６】
また本発明に従えば、検出手段は、前記画像データを表す画像の濃度値を検出する。撮像対象を照明する照明手段は、検出手段によって検出される前記画像データを表す画像の濃度値に基づいて撮像対象を照明するように、制御手段によって制御可能に構成される。たとえば、予め検出した基準画像の濃度値と、撮像手段によって生成された画像データを表す画像に基づいて検出した撮像画像の濃度値とを比較する。撮像画像の濃度値が基準画像の濃度値よりも小さい場合は、撮像対象の周囲は暗いと判断して、照明手段によって撮像対象を照明する。また撮像画像の濃度値が基準画像の濃度値よりも大きい場合は、撮像対象の周囲は明るいと判断して、照明手段によって撮像対象を照明しないようにする。
【００１７】
このように基準画像の濃度値と撮像画像の濃度値とを比較して、濃度値の大小関係を判断するだけで、撮像対象の周囲の明るさを判断して、必要に応じて照明手段によって撮像対象を照明することができる。これによって撮像対象の周囲が暗い場合でも、照明手段によって撮像対象を照明することができるので、利用者は表示手段に表示される画像を確実に認識することができ、利用者に対する利便性を向上することができる。
【００１８】
また本発明は、他の通信装置と通信可能な通信手段をさらに含むことを特徴とする。
本発明に従えば、通信手段によって、他の通信装置と通信可能に構成される。たとえば、他の通信装置から送信される画像データを受信することができる。また従来の技術に比べて簡単な操作をするだけで、受信した画像データを表す画像を表示手段に拡大表示することができる。これによって利用者に対する操作性を向上することができる。
【発明の効果】
【００１９】
本発明によれば、利用者は、前記画像データを表す画像を表示手段に拡大表示させる場合に、前記従来の技術のように煩雑な入力操作をする必要がない。換言すると利用者は、従来の技術に比べて簡単な操作をするだけで、撮像対象を撮像して生成される画像データを表す画像を拡大して表示手段に表示する指令を入力することができる。したがって前記画像データを表す画像を、容易に表示手段に拡大表示させることができる。これによって利用者に対する操作性を向上することができる。
【００２０】
また本発明によれば、利用者は、表示手段に拡大表示される画像の中から文字情報を表す画像を読取り、この文字情報を表す画像をさらに表示手段に拡大表示させる場合に、前記従来の技術のように煩雑な入力操作をする必要がない。換言すると利用者は、表示手段に拡大表示される画像の中から文字情報を表す画像を読取り、この文字情報を表す画像をさらに表示手段に拡大表示する指令を入力する操作をするだけで、容易に前記文字情報を表す画像をさらに表示手段に拡大表示させることができる。これによって利用者に対する操作性を向上することができる。さらに、表示手段に拡大表示される画像、たとえば文字画像が、その画像の寸法が小さいために利用者が認識し難い場合であっても、複数の入力操作をすることなく、前記文字情報を表す画像をさらに表示手段に拡大表示させることができるので、利用者は表示手段に拡大表示される画像を見ることによって確実かつ迅速に文字情報を表す画像を認識することができる。これによって利用者に対する利便性を向上することができる。
【００２１】
また本発明によれば、表示手段に拡大表示される画像のうち、たとえば利用者が認識し難い文字情報を表す画像を指定することによって、その指定された文字情報を表す画像をさらに表示手段に拡大表示させることができるので、利用者は表示手段に拡大表示される前記文字情報を表す画像を確実に認識することができる。これによって利用者に対する利便性を向上することができる。
【００２２】
また本発明によれば、撮像対象の周囲の明るさを判断して、必要に応じて照明手段によって撮像対象を照明することができる。これによって撮像対象の周囲が暗い場合でも、照明手段によって撮像対象を照明することができるので、利用者は表示手段に表示される画像を確実に認識することができ、利用者に対する利便性を向上することができる。
【００２３】
また本発明によれば、通信手段によって、他の通信装置から送信される画像データを受信することができる。また従来の技術に比べて簡単な操作をするだけで、受信した画像データを表す画像を表示手段に拡大表示することができる。これによって利用者に対する操作性を向上することができる。
【発明を実施するための最良の形態】
【００２４】
図１は、本発明の実施の一形態である携帯形電子装置１の電気的構成を示すブロック図である。携帯形電子装置１は、アンテナ１１、無線部１２、スイッチ部１３、拡大表示機能制御部１４、画像処理部１５、カメラ制御部１６、カメラ部１７、表示制御部１８、表示部１９、光学文字読取（Optical Character Reader；略称：ＯＣＲ）処理部２０、キー入力部２１、音声入力部２２、音声出力部２３、照明制御部２４、照明部２５、記憶部２６および主制御部２７を含んで構成される。携帯形電子装置１は、利用者が携帯して持運ぶことが可能であり、利用者に持運ばれることによって移動する。携帯形電子装置１は、たとえば携帯電話装置であってもよい。
【００２５】
アンテナ１１は、電波信号を用いて、公衆網を介して他の携帯形電子装置１と無線通信をするときに、音声データ、文字データおよび画像データを含むデータ（以下、不特定のデータの場合「通信データ」と表記する場合がある）を表す信号を、他の携帯形電子装置１との間で送受信する。アンテナ１１は、無線部１２から与えられる信号を送信するとともに、受信した信号を無線部１２に与える。
【００２６】
無線部１２は、受信時は、他の携帯形電子装置１からアンテナ１１を介して受信した通信データを表す信号を復調して主制御部２５に与え、送信時は、主制御部２５から与えられる通信データを表す信号を変調および増幅して、アンテナ１１に与える。
【００２７】
スイッチ部１３は、第１接点および第２接点を有し、第１回目の押圧動作によって第１接点がオン（ＯＮ）状態となり、第２回目の押圧動作によって第２接点もオン状態となる２段動作スイッチによって実現される。スイッチ部１３は、第２接点がオン状態のときに押圧すると、第２接点がオフ（ＯＦＦ）状態でかつ第１接点がオン状態となり、さらに押圧すると第１接点もオフ状態となる。
【００２８】
本実施の形態では、スイッチ部１３の第１接点がオン状態のとき、撮像対象を撮像して生成される画像データを表す画像を表示部１９に拡大表示させる動作（以下、「第１動作」と表記する場合がある）が実行され、スイッチ部１３の第２接点もオン状態のとき、表示部１９に拡大表示される画像の中から文字情報を表す画像を読取り、この文字情報を表す画像をさらに表示部１９に拡大表示させる動作（以下、「第２動作」と表記する場合がある）が実行されるように構成される。
【００２９】
スイッチ部１３は、第１動作および第２動作のいずれかの動作を実行させるときに、利用者によって設定操作される。スイッチ部１３は、利用者によって第１および第２接点が、オン状態およびオフ状態のうちのいずれの状態に設定されたかを表す情報（以下、「スイッチ情報」と表記する場合がある）を、拡大表示機能制御部１４に与える。
【００３０】
拡大表示機能制御部１４は、スイッチ部１３から与えられるスイッチ情報に基づいて、利用者によって第１および第２接点が、オン状態およびオフ状態のうちのいずれの状態に設定されたのかを把握する。
【００３１】
拡大表示機能制御部１４は、スイッチ部１３から与えられるスイッチ情報が、第１接点がオン状態に設定されたことを表す情報である場合、画像処理部１５、カメラ制御部１６および表示制御部１８のそれぞれに指令を与える。具体的に述べると、拡大表示機能制御部１４は、カメラ部１７を、撮像対象に近接して撮像可能な状態にする指令をカメラ制御部１６に与える。また拡大表示機能制御部１４は、撮像対象を撮像して生成される画像データを表す画像を拡大する指令を画像処理部１５に与える。さらに拡大表示機能制御部１４は、カメラ部１７によって撮像され、画像処理部１５によって拡大処理された画像データを表す画像を表示部１９に表示する指令を表示制御部１８に与える。
【００３２】
拡大表示機能制御部１４は、スイッチ部１３から与えられるスイッチ情報が、第２接点がオン状態に設定されたことを表す情報である場合、画像処理部１５、表示制御部１８およびＯＣＲ処理部２０のそれぞれに指令を与える。具体的に述べると、拡大表示機能制御部１４は、表示部１９に拡大表示される画像の中から、全ての文字情報を表す画像および利用者によって指定された一部の文字情報を表す画像のいずれかを読取る指令をＯＣＲ処理部２０に与える。また拡大表示機能制御部１４は、ＯＣＲ処理部２０によって読取られた文字情報を表す画像を拡大する指令を画像処理部１５に与える。さらに拡大表示機能制御部１４は、ＯＣＲ処理部２０によって読取られ、画像処理部１５によって拡大処理された画像データを表す画像を表示部１９に表示する指令を表示制御部１８に与える。
【００３３】
記憶部２６は、リードオンリメモリ（Read Only Memory；略称：ＲＯＭ）、ランダムアクセスメモリ（Random Access Memory；略称：ＲＡＭ）、およびフラッシュメモリを含む。ＲＯＭは、携帯形電子装置１の動作を制御するための制御プログラムおよび携帯形電子装置１の各種機能を実現するための処理プログラムを記憶する。ＲＡＭは、たとえばカメラ制御部１６および主制御部２７を介してカメラ部１７から連続的に与えられる画像データを一時的に記憶する。フラッシュメモリは、後述するキー入力部２１のシャッタキーが押下されたとき、ＲＡＭに記憶されている画像データのうちの所定の画像データを記憶する。またフラッシュメモリは、無線部１２を介して受信した文字データおよび画像データを含む通信データを記憶する。
【００３４】
画像処理部１５は、拡大表示機能制御部１４から与えられる前記撮像対象を撮像して生成される画像データを表す画像を拡大する指令に基づいて、記憶部２６のＲＡＭから前記画像データを読出し、この読出した画像データを表す画像を拡大する処理を行う。さらに述べると、画像処理部１５は、カメラ部１７によって撮像対象が撮像されて生成された画像データに対して、予め定める補間処理方法に従って補間処理を行うことによって、カメラ部１７によって撮像されて生成された画像データを表す画像を拡大する。
【００３５】
また画像処理部１５は、ＯＣＲ処理部２０によって読取られた文字情報を表す画像を拡大する指令に基づいて、ＯＣＲ処理部２０によって表示部１９に拡大表示される画像の中から読取られた文字情報を表す画像をさらに拡大する処理を行う。さらに述べると、画像処理部１５は、ＯＣＲ処理部２０によって読取られた文字情報を表す画像を表す画像データに対して、予め定める補間処理方法に従って補間処理を行うことによって、ＯＣＲ処理部２０によって表示部１９に拡大表示される画像の中から読取られた文字情報を表す画像をさらに拡大する。
【００３６】
カメラ制御部１６は、後述する主制御部２７から与えられる指令、具体的には前記カメラ部１７を駆動させるための駆動電力をカメラ部１７に供給する指令に基づいて、カメラ部１７に対して駆動電力を供給してカメラ部１７を駆動させる。またカメラ制御部１６は、拡大表示機能制御部１４から与えられる指令、具体的には前記カメラ部１７を撮像対象に近接して撮像可能な状態にする指令に基づいて、撮像対象に近接して撮像可能な状態になるように、撮像レンズの位置を変位する指令をカメラ部１７に与える。
【００３７】
カメラ部１７は、撮像レンズ、撮像素子およびカラーフィルタを含む。撮像素子は、たとえば電荷結合素子（Charge Coupled Device；略称：ＣＣＤ）イメージセンサ（以下、単に「ＣＣＤ」と表記する場合がある）によって実現されてもよい。本発明の他の実施の形態では、撮像素子は、相補型金属酸化物半導体（Complementary Metal-Oxide
Semiconductor；略称：ＣＭＯＳ）イメージセンサによって実現されてもよい。撮像レンズは、被写体を撮像したとき、被写体の光像をＣＣＤ上に結像させる。ＣＣＤの受光面には、半球状のマイクロレンズを有する多数のフォトダイオードがマトリクス状に配置されている。また、ＣＣＤは、赤（略称：Ｒ），緑（略称：Ｇ），青（略称：Ｂ）の３色のカラーフィルタを備えており、被写体で反射されて撮像レンズを介して入射した光は、カラーフィルタを通してＲ，Ｇ，Ｂの３色光にされる。撮像レンズを介してＣＣＤの受光面のマイクロレンズに結像された被写体像は、各フォトダイオードによってＲ，Ｇ，Ｂの３色光の入射光量に応じた量の信号電荷に変換されて蓄積される。各フォトダイオードに蓄積された信号電荷は、信号電荷に応じた電気信号（画像信号）として出力される。
【００３８】
カメラ部１７は、ＣＣＤから出力されるＲＧＢの３色光にそれぞれ対応したアナログ信号である電気信号を増幅し、増幅された前記電気信号を、アナログ／デジタル（略称：Ａ／Ｄ）変換器によって、デジタル信号に変換して画像データを生成する。
【００３９】
カメラ部１７は、カメラ制御部１６から供給される駆動電力に基づいて駆動する。またカメラ部１７は、カメラ制御部１６から与えられる前記撮像対象に近接して撮像可能な状態になるように、撮像レンズの位置を変位する指令に基づいて、撮像レンズの位置を変位して、撮像対象に近接して撮像可能な状態にする。
【００４０】
またカメラ部１７は、撮像対象を撮像して生成した画像データに対して、ホワイトバランス補正およびガンマ補正などの信号処理をした後、信号処理をした画像データに対して、予め定める圧縮処理をする。本実施の形態では、ＪＰＥＧ（Joint Photographic
coding Experts Group）形式の圧縮処理をする。圧縮処理された画像データは、記憶部２６のフラッシュメモリに記憶される。ここで、画像データを圧縮するときには、予め定める圧縮率に従って圧縮されてもよいし、利用者によって選択されて入力される圧縮率に従って圧縮されてもよい。圧縮率を変えることによって、同一の画像サイズでもファイルの容量を変えることができる。
【００４１】
表示制御部１８は、後述する主制御部２７から与えられる指令、具体的には前記表示部１９を駆動させるための駆動電力を表示部１９に供給する指令に基づいて、表示部１９に対して駆動電力を供給して表示部１９を駆動させる。表示制御部１８は、拡大表示機能制御部１４から与えられる前記カメラ部１７によって撮像され、画像処理部１５によって拡大処理された画像データを表す画像を表示部１９に表示する指令に基づいて、前記画像処理部１５によって拡大処理された画像データを表す画像を表示部１９に表示させるために、表示部１９の各画素電極に対して駆動電圧を印加する。これによって表示部１９の表示画面に、前記カメラ部１７によって撮像され、画像処理部１５によって拡大処理された画像データを表す画像が表示される。
【００４２】
また表示制御部１８は、拡大表示機能制御部１４から与えられる指令、具体的には前記ＯＣＲ処理部２０によって読取られ、画像処理部１５によって拡大処理された画像データを表す画像を表示部１９に表示する指令に基づいて、前記ＯＣＲ処理部２０によって読取られ、画像処理部１５によって拡大処理された画像データを表す画像を表示部１９に表示させるために、表示部１９の各画素電極に対して駆動電圧を印加する。これによって表示部１９の表示画面に、前記ＯＣＲ処理部２０によって読取られ、画像処理部１５によって拡大処理された画像データを表す画像が表示される。
【００４３】
表示部１９は、たとえばカラー表示可能な半透過半反射型液晶表示素子によって実現され、文字画像、静止画像および動画像を含む画像を表示する。表示部１９には、カメラ部１７によって撮像され、画像処理部１５によって拡大処理された画像データを表す画像、およびＯＣＲ処理部２０によって読取られ、画像処理部１５によって拡大処理された画像データを表す画像などが表示される。表示部１９は、カラー表示または白黒表示可能な透過型液晶表示素子、反射型液晶表示素子、エレクトロルミネッセンス（Electro
Luminescence；略称：ＥＬ）素子および白黒表示可能な半透過半反射型液晶表示素子のうちいずれか１つによって実現されてもよい。
【００４４】
ＯＣＲ処理部２０は、拡大表示機能制御部１４から与えられる前記表示部１９に拡大表示される画像の中から一部または全部の文字情報を表す画像を読取る指令に基づいて、前記表示部１９に拡大表示される画像の中から一部または全部の文字情報を表す画像を、光学的に読取る。
【００４５】
キー入力部２１は、利用者が操作する操作入力キーなどの複数の操作片を有する。キー入力部２１は、各操作片が操作されることによって、数字情報、文字情報および携帯形電子装置１への指示情報などの所定の情報など、操作に応じた情報を表す信号を生成して後述する主制御部２７に与える。したがって利用者は、キー入力部２１の各操作片を操作して、携帯形電子装置１に情報を入力することができる。
【００４６】
キー入力部２１は、たとえば撮像キー、文字指定キーおよびシャッタキーを備える。撮像キーは、カメラ部１７によって撮像対象を撮像して画像データを生成する指令を入力するときに操作される。撮像キーが操作されると、カメラ部１７によって撮像対象を撮像して画像データを生成する指令は、主制御部２７に与えられるとともに、主制御部２７によってカメラ制御部１６に与えられる。
【００４７】
文字指定キーは、表示部１９に拡大表示される画像の中から、さらに表示部１９に拡大表示させる文字情報を表す画像を指定するときに、利用者によって操作される。利用者によって文字指定キーが操作されて、表示部１９にさらに拡大表示させる文字情報を表す画像（以下、単に「文字画像」と表記する場合がある）が指定されると、その指定された文字画像を表す情報（以下、「指定画像情報」と表記する場合がある）は、主制御部２７によってＯＣＲ処理部２０に与えられる。シャッタキーは、カメラ部１７で撮像されて生成される画像データを記憶部２６のフラッシュメモリに記憶するための所定の指示を入力するときに利用者によって操作される。
【００４８】
音声入力部２２は、たとえばマイクロフォンによって実現される。音声入力部２２には、たとえば通話時の送話音声を入力する。音声出力部２３は、たとえばスピーカによって実現される。音声出力部２３は、たとえば通話時の受話音声、および主制御部２７から与えられる音声データに基づく音声を発音する。
【００４９】
照明制御部２４は、後述する主制御部２７から与えられる照明部２５を点灯および消灯する指令に基づいて、照明部２５を点灯および消灯する制御信号を照明部２５に与える。照明部２５は、たとえば発光素子である発光ダイオード（Light Emitting Diode；略称：ＬＥＤ）によって実現され、ＬＥＤを点灯して撮像対象を照明することによって、撮像対象を撮像するときの明るさを補う。照明部２５は、照明制御部２４から与えられる制御信号に基づいて、点灯および消灯を行う。照明部２５は、たとえばカメラ部１７によって撮像対象を撮像するとき、撮像対象の周囲が暗いと判断された場合に点灯するようにしてもよい。このように撮像対象の周囲が暗いと判断された場合に照明部２５を点灯させる場合には、撮像対象の周囲が明るいか否かを判断する必要がある。
【００５０】
本実施の形態では、携帯形電子装置１の出荷前に、カメラ部１７によって撮像されて生成された画像データを表す画像（以下、「基準画像」と表記する場合がある）の濃度値が検出され、記憶部２６のＲＯＭに記憶されることを想定する。本実施の形態では、記憶部２６のＲＯＭに記憶される前記基準画像の濃度値と、利用者によってスイッチ部１３が操作され、カメラ部１７によって撮像されて生成された画像データを表す画像（以下、「撮像画像」と表記する場合がある）の濃度値とを比較し、濃度値の大小関係に基づいて、撮像対象の周囲が明るいか否かを判断する。
【００５１】
ここで、基準画像の濃度値は、たとえば基準画像における各画素の濃度値の総和値として検出してもよいし、総和値を画素数で除算した平均値として検出してもよい。また前記基準画像の濃度値の総和値および平均値は、基準画像全体から検出してもよいし、基準画像のブロック毎に検出してもよい。撮像画像の濃度値も基準画像の濃度値と同様に、撮像画像における各画素の濃度値の総和値として検出してもよいし、総和値を画素数で除算した平均値として検出してもよい。また前記撮像画像の濃度値の総和値および平均値は、撮像画像全体から検出してもよいし、撮像画像のブロック毎に検出してもよい。
【００５２】
本実施の形態において、カメラ部１７によって撮像対象が撮像された場合は、画像処理部１５が撮像画像の濃度値を検出する。そして主制御部２７が、予め検出した基準画像の濃度値と、前記検出した撮像画像の濃度値とを比較する。主制御部２７は、撮像画像の濃度値が基準画像の濃度値よりも大きい場合、撮像対象の周囲は明るいと判断し、撮像画像の濃度値が基準画像の濃度値よりも小さい場合、撮像対象の周囲は暗いと判断する。
【００５３】
主制御部２７は、撮像対象の周囲が明るいと判断した場合、照明部２５を点灯しない指令を照明制御部２４に与え、撮像対象の周囲が暗いと判断した場合、照明部２５を点灯する指令を照明制御部２４に与える。これによって撮像対象の周囲が暗い場合に、照明部２５を点灯して撮像対象を照明することができる。
【００５４】
また照明部２５は、点灯してから予め定める時間が経過すると、照明制御部２４から与えられる制御信号によって消灯するようにしてもよいし、利用者によって照明部２５を消灯するための所定の情報がキー入力部２１によって入力されるまで点灯するようにしてもよい。
【００５５】
主制御部２７は、中央演算処理装置（Central Processing Unit；略称：ＣＰＵ）を含み、記憶部２６のＲＯＭに記憶される制御プログラムに基づいて、前記の無線部１２、拡大機能制御部１４、画像処理部１５、カメラ制御部１６、表示制御部１８、ＯＣＲ処理部２０、キー入力部２１、音声入力部２２、音声出力部２３、照明制御部２４および記憶部２６を含むハードウェア資源を制御する。主制御部２７は、キー入力部２１から与えられる信号に基づいて、携帯形電子装置１を構成する各部位に制御信号を与えて、その動作を制御する。たとえば主制御部２７は、画像の表示部１９への表示動作を制御する。
【００５６】
主制御部２７は、カメラ部１７を駆動させるための駆動電力をカメラ部１７に供給する指令をカメラ制御部１６に与えるとともに、表示部１９を駆動させるための駆動電力を表示部１９に供給する指令を表示制御部１８に与える。また主制御部２７は、照明部２５を点灯および消灯する指令を照明制御部２４に与える。主制御部２７は、無線部１２が復調した音声情報を音声出力部２３に与える。また主制御部２７は、音声入力部２２に入力される音声を音声情報として無線部１２に与える。また主制御部２７は、記憶部２６のフラッシュメモリに記憶される通信データを無線部１２に与える。
【００５７】
本実施の形態において、撮像手段は、画像処理部１５およびカメラ部１７に相当し、表示手段は表示部１９に相当する。拡大表示入力手段および文字情報表示入力手段は、スイッチ部１３に相当する。指定手段は、キー入力部２１に相当する。照明手段は、照明部２５に相当し、検出手段は画像処理部１５および主制御部２７に相当する。文字情報読取手段は、ＯＣＲ処理部２０に相当し、通信手段はアンテナ１１、無線部１２および主制御部２７に相当する。制御手段は、拡大表示機能制御部１４、カメラ制御部１６、表示制御部１８、照明制御部２４および主制御部２７に相当する。
【００５８】
図２は、携帯形電子装置１を一方側から見た斜視図であり、図３は携帯形電子装置１を他方側から見た斜視図である。携帯形電子装置１は、前述のアンテナ１１、無線部１２、スイッチ部１３、拡大表示機能制御部１４、画像処理部１５、カメラ制御部１６、カメラ部１７、表示制御部１８、表示部１９、ＯＣＲ処理部２０、キー入力部２１、音声入力部２２、音声出力部２３、照明制御部２４、照明部２５、記憶部２６および主制御部２７の他に第１筐体２、第２筐体３およびヒンジ部４をさらに含む。図２では携帯形電子装置１を開いた状態で、表示部１７が配置されている内側（正面側）から見た図を示しており、図３では携帯形電子装置１を開いた状態で、カメラ部１７が配置されている外側（背面側）から見た図を示している。
【００５９】
第１筐体２および第２筐体３は、図２に示すように、大略的に扁平かつ直方体状に形成され、第１筐体２の基端部４と第２筐体３の基端部５とは、ヒンジ部６によって相互に角変位可能に連結されて構成される。携帯形電子装置１の第１筐体２と第２筐体３との成す最大の角度は、筐体の形状、ヒンジ部６の種類などで決まり、本実施形態では第１筐体２および第２筐体３が相互に対向するように折り畳まれた状態から、ヒンジ部６と第１筐体２の遊端部４とを含む仮想一平面と、ヒンジ部６と第２筐体３の遊端部５とを含む仮想一平面とのなす角度がほぼ１８０度となる位置までヒンジ部６を中心として相互に角変位可能に構成される。本実施の形態の説明では、２つの筐体２，３を開いた状態を、携帯形電子装置１を開いた状態といい、２つの筐体２，３が折り畳まれた状態を、携帯形電子装置１が折り畳まれた状態という場合がある。
【００６０】
アンテナ１１は、第１筐体２に設けられる。アンテナ１１は、たとえば伸縮自在なロッドアンテナによって実現されてもよいし、プリント基板実装時の占有面積が比較的小さいチップアンテナによって実現されてもよい。アンテナ１１がロッドアンテナによって実現される場合、アンテナ１１が縮んでいる状態では、その大部分が第１筐体２の内部に収容され、アンテナ１１の先端部が第１筐体２の遊端部７から外部に突出している。また、アンテナ１１が伸びた状態では、その大部分が第１筐体２から外部に突出する。
【００６１】
表示部１９は、第１および第２筐体２，３を相互に対向させた折り畳み状態で、第１筐体２の第２筐体３に対向する領域に設けられる。キー入力部２１は、第１および第２筐体２，３を相互に対向させた折り畳み状態で、第２筐体３の第１筐体２に対向する領域に設けられる。
【００６２】
音声入力部２２は、第２筐体３の内部空間で、かつ第２筐体３の遊端部８の中央部に設けられる。音声出力部２３は、第１筐体２の内部空間で、かつ第１筐体２の遊端部７の中央部に設けられる。カメラ部１７は、第１筐体２の遊端部７でかつ携帯形電子装置１の背面側に、外部に臨んで設けられる。前述の位置にカメラ部１７を設けることによって、携帯形電子装置１が折り畳まれた状態であっても、カメラ部１７によって所望の画像を撮像することができる。照明部２５は、第１筐体２の遊端部７で、かつカメラ部１７よりも第１筐体２の幅方向一方側に設けられる。
【００６３】
図４は、携帯形電子装置１の動作処理を示すフローチャートである。携帯形電子装置１の動作処理は、予め定める開始条件を満たしたとき、ステップａ０で開始されて、ステップａ１に進む。開始条件は、たとえば携帯形電子装置１に電源が投入されることである。
【００６４】
ステップａ１では、拡大表示機能制御部１４は、スイッチ部１３の第１接点がオン状態であるか否かを判断し、オン状態ではない、つまりオフ状態であればステップａ２に進み、オン状態であればステップａ３に進む。ステップａ２では、携帯形電子装置１のすべての動作処理を終了する。
【００６５】
ステップａ３では、カメラ制御部１６および表示制御部１８が、カメラ部１７によって撮像対象が撮像されて生成される画像データを表す画像を表示部１９に拡大表示させる拡大表示処理を行う。拡大表示処理に関する携帯形電子装置１の動作処理は、後述する図５に示すフローチャートに従って行う。
【００６６】
ステップａ４では、主制御部２７が、撮像画像の濃度値が基準画像の濃度値よりも小さいか否かを判断し、撮像画像の濃度値が基準画像の濃度値よりも小さければステップａ５に進み、大きければステップａ１に戻り、前述と同様の処理を行う。
【００６７】
ステップａ５では、照明制御部２４が、照明部２５を点灯する制御信号を照明部２５に与える。ステップａ５の処理が終了した後は、ステップａ１に戻り、前述と同様の処理を行う。
【００６８】
本発明の他の実施の形態では、前述の図４に示すフローチャートのステップａ２、つまり第１接点がオフ状態である場合、次のような処理を行うようにしてもよい。すなわち、前記ステップａ２において、キー入力部２１の撮像キーが操作されて、カメラ部１７によって撮像対象を撮像する指令が入力されたか否かを判断する。撮像対象を撮像する指令が入力された場合は、カメラ部１７によって撮像対象を撮像して画像データを生成する撮像処理を行い、撮像処理によって生成された画像データを表す画像を表示部１９に表示する。撮像対象を撮像する指令が入力されない場合は、たとえば前記指令が入力されるまで待機する。
【００６９】
図５は、拡大表示処理に関する携帯形電子装置１の動作処理を示すフローチャートである。図６は、撮像対象画像３０を示す図である。図７は、表示部１９に表示される拡大画像３２の一例を示す図である。拡大表示処理に関する携帯形電子装置１の動作処理は、拡大表示機能制御部１４によって、スイッチ部１３の第１接点がオン状態であると判断されたとき、ステップｂ０で開始されて、ステップｂ１に進む。
【００７０】
ステップｂ１では、表示制御部１８が、表示部１９に対して駆動電力を供給する。表示部１９は、表示制御部１８から供給される駆動電力によって駆動する。
【００７１】
ステップｂ２では、カメラ制御部１６が、カメラ部１７に対して駆動電力を供給する。カメラ部１７は、カメラ制御部１６から供給される駆動電力によって駆動する。
【００７２】
ステップｂ３では、カメラ制御部１６が、カメラ部１７に対して、撮像対象に近接して撮像可能な状態になるように、撮像レンズの位置を変位する指令を与える。カメラ部１７は、カメラ制御部１６から与えられる前記撮像レンズの位置を変位する指令に基づいて、撮像レンズの位置を変位して、撮像対象に近接して撮像可能な状態にする。これによって撮像対象にカメラ部１７を近接させて撮像することが可能となる。
【００７３】
本実施の形態では、図５に示す撮像対象を表す画像（単に、「撮像対象画像」と表記する場合がある）３０のうちの一部の領域の画像、具体的には表示部１９に拡大表示させる領域の画像（単に、「拡大対象領域画像」と表記する場合がある）３１を、カメラ部１７によって撮像する。カメラ部１７によって拡大対象領域画像３１を撮像して生成された画像データは、記憶部２６のフラッシュメモリに記憶される。
【００７４】
ステップｂ４では、拡大表示機能制御部１４は、カメラ部１７によって拡大対象領域画像３１を撮像して生成される画像データを表す画像を拡大する指令を画像処理部１５に与える。画像処理部１５は、拡大表示機能制御部１４から与えられる前記拡大対象領域画像３１を撮像して生成される画像データを表す画像を拡大する指令に基づいて、記憶部２６のフラッシュメモリから前記拡大対象領域画像３１を撮像して生成される画像データを読出し、この読出した画像データを表す画像を拡大する処理を行う。
【００７５】
ステップｂ５では、表示制御部１８は、画像処理部１５によって拡大処理された画像データを表す画像を表示部１９に表示する指令に基づいて、表示部１９の各画素電極に対して駆動電圧を印加する。
【００７６】
ステップｂ６では、表示部１９は、図７に示すように、カメラ部１７によって撮像されて画像処理部１５によって拡大処理された画像データを表す画像（単に、「拡大画像」と表記する場合がある）３２を表示する。ステップｂ６の処理を終了した後は、ステップｂ７に進む。ステップｂ７では、拡大表示処理に関する携帯形電子装置１のすべての動作処理を終了する。
【００７７】
本実施の形態では、利用者によってスイッチ部１３の第１接点がオン状態になるように設定操作されると、携帯形電子装置１は、前述の図７のフローチャートに示す各ステップの一連の動作処理を行う。
【００７８】
図８は、携帯形電子装置１の動作処理を示すフローチャートである。図９は、表示部１９に表示される拡大画像３２および拡大文字画像３４を示す図である。ステップｃ０〜ステップｃ５の処理は、前述の図４のフローチャートに示すステップａ０〜ステップａ５と同様の処理であるので、各処理の説明を省略する。
【００７９】
ステップｃ４において、撮像画像の濃度値が基準画像の濃度値よりも小さければステップｃ５に進み、大きければステップｃ６に進む。ステップｃ５において、照明制御部２４によって、照明部２５を点灯する制御信号が照明部２５に与えられると、ステップｃ６に進む。
【００８０】
ステップｃ６では、拡大表示機能制御部１４は、スイッチ部１３の第２接点がオン状態であるか否かを判断し、オン状態ではない、つまりオフ状態であればステップｃ１に戻り、前述と同様の処理を行い、オン状態であればステップｃ７に進む。
【００８１】
ステップｃ７では、主制御部２７は、カメラ部１７によって撮像されて生成されて記憶部２６のフラッシュメモリに記憶された画像データを読出してＯＣＲ処理部２０に与える。
【００８２】
ステップｃ８では、主制御部２７は、利用者によってキー入力部２１の文字指定キーが操作されて入力された指定画像情報をＯＣＲ処理部２０に与える。
【００８３】
ステップｃ９では、ＯＣＲ処理部２０は、主制御部２７から与えられる指定画像情報、および拡大表示機能制御部１４から与えられる指令、具体的には表示部１９に表示される拡大画像３２の中から、利用者によって指定された一部の文字画像（以下、「指定文字画像」と表記する場合がある）３３を読取る指令に基づいて、拡大画像３２の中から指定文字画像３３を光学的に読取る。
【００８４】
ステップｃ１０では、画像処理部１５は、拡大表示機能制御部１４から与えられる指令、具体的にはＯＣＲ処理部２０によって読取られた指定文字画像３３を拡大する指令に基づいて、ＯＣＲ処理部２０によって読取られた指定文字画像３３を拡大する処理を行う。
【００８５】
ステップｃ１１では、表示部１９は、表示制御部１８から与えられる指令、具体的にはＯＣＲ処理部２０によって読取られ、画像処理部１５によって拡大処理された指定文字画像（以下、「拡大文字画像」と表記する場合がある）３４を表示する指令に基づいて、拡大文字画像３４を表示する。たとえば、利用者によって文字画像「９ＡＢ」が指定されると、指定された文字画像「９ＡＢ」がさらに拡大され、拡大文字画像３４として表示部１９に表示される。拡大文字画像３４は、拡大画像３２とともに表示部１９に表示されてもよい。たとえば図９に示すように、表示部１９の表示画面が２分割されたうちの上部の表示画面に拡大画像３２が表示され、前記２分割された表示画面のうちの下部の表示画面に拡大文字画像３４が表示されるようにしてもよい。
【００８６】
ステップｃ１２では、拡大表示機能制御部１４は、スイッチ部１３の第２接点がオフ状態であるか否かを判断し、オフ状態ではない、つまりオン状態であればステップｃ７に戻り、前述と同様の処理を行い、オフ状態であればステップｃ１３に進む。
【００８７】
ステップｃ１３では、拡大表示機能制御部１４は、スイッチ部１３の第１接点がオン状態であるか否かを判断し、オン状態であればステップｃ３に戻り、前述と同様の処理を行い、オン状態ではない、つまりオフ状態であればステップｃ１４に進む。ステップｃ１４では、携帯形電子装置１のすべての動作処理を終了する。
【００８８】
本発明の他の実施の形態では、前述の図８に示すフローチャートのステップｃ２、つまり第１接点がオフ状態である場合、次のような処理を行うようにしてもよい。すなわち、前記ステップｃ２において、キー入力部２１の撮像キーが操作されて、カメラ部１７によって撮像対象を撮像する指令が入力されたか否かを判断する。撮像対象を撮像する指令が入力された場合は、カメラ部１７によって撮像対象を撮像して画像データを生成する撮像処理を行い、撮像処理によって生成された画像データを表す画像を表示部１９に表示する。撮像対象を撮像する指令が入力されない場合は、たとえば前記指令が入力されるまで待機する。
【００８９】
また前述の図８に示すフローチャートのステップｃ９において、ＯＣＲ処理部２０によって光学的に読取られる指定文字画像３３を表すデータは、たとえば電子メールおよびメモ帳などへの転記の目的で、テキストデータとして、記憶部２６のＲＡＭに一時的に記憶するようにしてもよい。
【００９０】
前述のように本実施の形態によれば、利用者によって、スイッチ部１３の第１接点がオン状態になるように操作されて、撮像対象を撮像して生成される画像データを表す画像を拡大して表示部１９に表示する指令が入力されると、前記指令に基づいて前記撮像対象の画像を表示部１９に拡大表示するように、カメラ部１７、画像処理部１５および表示部１９が協働して、拡大表示機能制御部１４、カメラ制御部１６、表示制御部１８および主制御部２７によって制御される。
【００９１】
したがって利用者は、前記カメラ部１７によって生成される画像データを表す画像を表示部１９に拡大表示させる場合に、前記従来の技術のように煩雑な入力操作をする必要がない。換言すると利用者は、従来の技術に比べて簡単な操作、具体的にはスイッチ部１３の第１接点がオン状態になるように押圧する操作をするだけで、撮像対象を撮像して生成される画像データを表す画像を拡大して表示部１９に表示する一連の動作指令を入力することができる。したがって前記画像データを表す画像を、容易に表示部１９に拡大表示させることができる。これによって利用者に対する操作性を向上することができる。
【００９２】
また本実施の形態によれば、利用者によって、スイッチ部１３の第２接点がオン状態になるように操作されて、表示部１９に表示される拡大画像３２の中から文字画像を読取り、この文字画像を表示部１９に表示する指令が入力されると、前記指令に基づいて表示部１９に表示される拡大画像３２の中から、利用者によって指定された指定文字画像３３を読取り、この指定文字画像３３をさらに表示部１９に拡大表示するように、カメラ部１７、画像処理部１５、ＯＣＲ処理部２０および表示部１９が協働して、拡大表示機能制御部１４、カメラ制御部１６、表示制御部１８および主制御部２７によって制御される。
【００９３】
したがって利用者は、表示部１９に表示される拡大画像３２の中から指定文字画像３３を読取り、かつ指定文字画像３３をさらに表示部１９に拡大表示させる場合に、前記従来の技術のように煩雑な入力操作をする必要がない。
【００９４】
換言すると利用者は、従来の技術に比べて簡単な操作、具体的にはスイッチ部１３の第２接点がオン状態になるように押圧する操作、および拡大画像３２の中から一部の文字画像を指定する操作をするだけで、表示部１９に表示される拡大画像３２の中から指定文字画像３３を読取り、この指定文字画像３３をさらに表示部１９に拡大表示する一連の動作指令を入力することができる。したがって利用者は、前記拡大画像３２の中から指定文字画像を読取り、かつ指定文字画像３３をさらに表示部１９に拡大表示させる場合の入力操作位置を殆ど変更することなく、指定文字画像３３をさらに拡大した拡大文字画像３４を、容易に表示部１９に表示させることができる。これによって利用者に対する操作性を向上することができる。
【００９５】
また表示部１９に表示される拡大画像３２に含まれる文字画像が、たとえばその文字画像の寸法が小さいために利用者が認識し難い場合であっても、スイッチ部１３の第２接点がオン状態になるように押圧する操作、および拡大画像３２の中から所望の文字画像を指定する操作をするだけで、前記文字画像をさらに拡大した拡大文字画像３４を、容易に表示部１９に表示させることができる。したがって利用者は、拡大文字画像３４を見ることによって確実かつ迅速に文字画像を認識することができる。これによって利用者に対する利便性を向上することができる。
【００９６】
また本実施の形態によれば、利用者は、キー入力部２１の文字指定キーを操作することによって、表示部１９に表示される拡大画像３２の中から、さらに表示部１９に拡大表示させる一部の文字画像を指定することができる。文字指定キーが操作されて、表示部１９に表示される拡大画像３２の中から、さらに表示部１９に拡大表示させる一部の文字画像が指定されると、指定文字画像３３が拡大された拡大文字画像３４が表示部１９に表示される。したがって表示部１９に表示される拡大画像３２のうち、たとえば利用者が認識し難い文字画像を指定することによって、その指定文字画像３３をさらに拡大した拡大文字画像３４を表示部１９に表示させることができる。これによって利用者は、表示部１９に表示される拡大文字画像３４を見ることによって確実に文字画像を認識することができる。したがって利用者に対する利便性を向上することができる。
【００９７】
また本実施の形態によれば、画像処理部１５および主制御部２７は、カメラ部１７によって生成される画像データを表す画像の濃度値を検出する。撮像対象を照明する照明部２５は、画像処理部１５および主制御部２７によって検出される前記画像データを表す画像の濃度値に基づいて撮像対象を照明するように、拡大表示機能制御部１４、カメラ制御部１６、表示制御部１８、照明制御部２４および主制御部２７によって制御可能に構成される。たとえば、予め検出した基準画像の濃度値と、カメラ部１７によって生成される画像データを表す画像に基づいて検出した撮像画像の濃度値とを比較する。撮像画像の濃度値が基準画像の濃度値よりも小さい場合は、撮像対象の周囲は暗いと判断して、照明部２５によって撮像対象を照明する。また撮像画像の濃度値が基準画像の濃度値よりも大きい場合は、撮像対象の周囲は明るいと判断して、照明部２５によって撮像対象を照明しないようにする。
【００９８】
このように基準画像の濃度値と撮像画像の濃度値とを比較して、濃度値の大小関係を判断するだけで、撮像対象の周囲の明るさを判断して、必要に応じて照明部２５によって撮像対象を照明することができる。これによって撮像対象の周囲が暗い場合でも、照明部２５によって撮像対象を照明することができるので、利用者は表示部１９に表示される画像を確実に認識することができ、利用者に対する利便性を向上することができる。
【００９９】
また本実施の形態によれば、アンテナ１１、無線部１２および主制御部２７によって、他の通信装置と通信可能に構成される。たとえば、他の通信装置から送信される画像データを受信することができる。これによって受信した画像データを表す画像を表示部１９に表示する場合に、従来の技術に比べて簡単な操作をするだけで、前記受信した画像データを表す画像を表示部１９に拡大表示することができ、利用者に対する操作性を向上することができる。
【０１００】
前述の実施の形態は、本発明の例示に過ぎず、本発明の範囲内において発明の構成を変更することができる。たとえば前述の実施の形態では、スイッチ部１３が２段動作スイッチによって実現され、スイッチ部１３の第１接点がオン状態のとき、撮像対象を撮像して生成される画像データを表す画像を表示部１９に拡大表示させる第１動作を実行し、スイッチ部１３の第２接点がオン状態のとき、表示部１９に拡大表示される画像の中から文字情報を表す画像を読取り、この文字情報を表す画像をさらに表示部１９に拡大表示させる第２動作を実行するように構成される場合について説明したが、このような構成に限らない。本発明の他の実施の形態では、スイッチ部１３が１接点のスイッチによって実現されてもよく、スイッチ部１３を押下する時間および回数などを異ならせることによって、第１動作および第２動作をそれぞれ実行するように構成されてもよい。
【０１０１】
また本発明のさらに他の実施の形態では、スイッチ部１３が、固定された複数の接点およびその上を滑るように動く可動切片を含むスライドスイッチによって実現されてもよく、可動切片を操作することによって、第１動作および第２動作をそれぞれ実行するように構成されてもよい。前述のようにスイッチ部１３が、１接点のスイッチおよびスライドスイッチのいずれによって実現された場合でも、前述の実施の形態と同様の効果を得ることができる。
【０１０２】
また前述の実施の形態では、表示部１９に表示される拡大画像３２の中から、利用者によって指定された指定文字画像３３を光学的に読取るように構成されているが、本発明の他の実施の形態では、表示部１９に表示される拡大画像３２の中から、全ての文字画像を光学的に読取るように構成されてもよい。
【図面の簡単な説明】
【０１０３】
【図１】本発明の実施の一形態である携帯形電子装置１の電気的構成を示すブロック図である。
【図２】携帯形電子装置１を一方側から見た斜視図である。
【図３】携帯形電子装置１を他方側から見た斜視図である。
【図４】携帯形電子装置１の動作処理を示すフローチャートである。
【図５】拡大表示処理に関する携帯形電子装置１の動作処理を示すフローチャートである。
【図６】撮像対象画像３０を示す図である。
【図７】表示部１９に表示される拡大画像３２の一例を示す図である。
【図８】携帯形電子装置１の動作処理を示すフローチャートである。
【図９】表示部１９に表示される拡大画像３２および拡大文字画像３４を示す図である。
【符号の説明】
【０１０４】
１  携帯形電子装置
１１  アンテナ
１２  無線部
１３  スイッチ部
１４  拡大表示機能制御部
１５  画像処理部
１６  カメラ制御部
１７  カメラ部
１８  表示制御部
１９  表示部
２０  ＯＣＲ処理部
２１  キー入力部
２２  音声入力部
２３  音声出力部
２４  照明制御部
２５  照明部
２６  記憶部
２７  主制御部
３０  撮像対象画像
３１  拡大対象領域画像
３２  拡大画像
３３  指定文字画像
３４  拡大文字画像
【図１】
2006174264.tif 000003
【図２】
2006174264.tif 000004
【図３】
2006174264.tif 000005
【図４】
2006174264.tif 000006
【図５】
2006174264.tif 000007
【図６】
2006174264.tif 000008
【図７】
2006174264.tif 000009
【図８】
2006174264.tif 000010
【図９】
2006174264.tif 000011